(57)【要約】      （修正有）【課題】浴槽および浴室を加工することなく着脱可能な浴槽用手摺りを提供する。【解決手段】第１支持部材と該第１支持部材の一端及び他端にそれぞれ第１保持部材を設け、第１保持部材は浴槽の縁部にそれぞれ取り付けられ、第１支持部材における一端と他端の間に第２支持部材の一端を接続し、第２支持部材の他端に第２保持部材を設け、第２保持部材を浴槽の縁部に取り付ける。【選択図】図１
0003174184.tif 000002
【実用新案登録請求の範囲】
【請求項１】
浴槽に着脱可能に設置される浴槽用手摺りであって、第１支持部材と該第１支持部材の一端及び他端にそれぞれ第１保持部材を設け、前記それぞれの第１保持部材は浴槽の縁部にそれぞれ取り付けられ、前記第１支持部材における一端と他端の間に第２支持部材の一端を接続し、前記第２支持部材の他端に第２保持部材を設け、該第２保持部材を浴槽の縁部に取り付けたことを特徴とする浴槽用手摺り。
【請求項２】
第１保持部材及び第２保持部材に保護部材を設けたことを特徴とする請求項１記載の浴槽用手摺り。
【請求項３】
第１保持部材及び第２保持部材に緩衝部材を設けたことを特徴とする請求項１記載の浴槽用手摺り。
【請求項４】
第１支持部材あるいは第２支持部材のいずれか一方又は双方に伸縮部を設けたことを特徴とする請求項１、２、３のいずれか１項に記載されている浴槽用手摺り。
【考案の詳細な説明】
【技術分野】
【０００１】
本考案は、着脱可能な浴槽用手摺りに関するものである。
【背景技術】
【０００２】
高齢化社会の到来によって浴室内もいわゆるバリアフリー化することが求められており浴室内に手摺りが設置されているケースが多くなっている。これは高齢者が入浴するに際し、この手摺りによって体を保持することで、浴槽に出入りしやすくするためのものである。このような手摺りは浴室の壁面に設置されている場合が多い。この場合に浴槽の片側の壁面にのみに設置されている手摺りを頼りにして、浴槽への出入りをしなければならない。しかしながら腕の不自由な高齢者にとっては、壁面に設置された手摺りでは、片腕で体を支えなければならず浴槽への出入りに困難が伴い、介助者の助けが必要な場合がある。
【０００３】
また、特許文献１に記載されているように浴槽における浴水の収容部を跨ぐようにして手摺りを設けるように構成したものが提案されている。この場合の浴槽用手摺りは、浴槽のフランジ部分に、ネジ等の固定手段を用いて固定している。このような手摺りでは一度設置すると取り外しが困難であり、特に高齢者以外の者が使用する場合に却って邪魔になってしまう場合がある。また浴槽にフランジ部分が形成されていない浴槽があり、どの浴槽にも適用できるとは限らないものである。さらに、浴槽の縁が中空構造である場合にはネジ等で固定する手段を採用することができないため、特に浴槽の縁部分が中空構造のユニットバスには設置することができない。
【０００４】
また、浴槽用の手摺りは着脱可能にすると使用時に動いてしまうことがあり、高齢者が浴槽への出入りする際にその手摺りがずれて動いてしまい、転倒する恐れがあり極めて危険である。
【０００５】
【特許文献１】特開平１１-３４７０９０号公報
【考案の開示】
【考案が解決しようとする課題】
【０００６】
本考案は前記の点に着目してなされたもので、その課題は、高齢者が使用する場合は浴槽に装着でき、健常者が浴槽を使用する場合は取り外しができる着脱可能な浴槽用手摺りを提供することである。また、本考案の他の課題は、様々な浴槽に適用することができる浴槽用手摺りを提供することである。またずれにくいようにすることができる浴槽用手摺りを提供することである。
【課題を解決するための手段】
【０００７】
前記の課題を解決するため、本考案は、浴槽に着脱可能に設置される浴槽用手摺りであって、第１支持部材と該第１支持部材の一端及び他端にそれぞれ第１保持部材を設け、前記それぞれの第１保持部材は浴槽の縁部にそれぞれ取り付けられ、前記第１支持部材における一端と他端の間に第２支持部材の一端を接続し、前記第２支持部材の他端に第２保持部材を設け、該第２保持部材を浴槽の縁部に取り付けるという手段を講じたものである。
【０００８】
第１保持部材及び第２保持部材によって浴槽の縁部に手摺りを設置することができるために、浴槽にネジ等で固定する必要がなく浴槽にネジ孔をあける必要が無い。このことはネジ孔をあけることによって浴槽の破損につながる恐れを払しょくできる点で好ましい。またユニットバスのような浴室は一体で成形されているために浴槽であっても加工するとその部分から漏水する恐れがあるためこれを防ぐことができる。また第１支持部材のみならず第２支持部材を有していることから取り外し可能な浴槽用手摺りにおいて第１支持部材だけでは、ずれる可能性があった当該手摺りを固定することができるようになったので、使用者の体重を支えることができ、浴槽への出入りによって転倒してしまう危険性が軽減された。
【０００９】
また、第１保持部材及び第２保持部材に保護部材を設けるという手段を講じたものである。当該手摺りの着脱時に浴槽に傷が付くのを防止するためである。使用するたびごとに着脱するものであるために浴槽を保護することができる。この保護部材は、塩化ビニル製のシートを適当な大きさに切断したものを使用することができる。また弾力性を有するものを保護部材に使用することができる。すなわち、保護部材の幅によって第１保持部材及び第２保持部材の保持部本体の上部の幅を浴槽の縁部の幅よりも余裕を持たせて大きくした場合であっても、確実に浴槽に当該手摺りを保持することができる。
【００１０】
さらに第１保持部材及び第２保持部材に緩衝部材を設けるという手段を講じたものである。保持部材の内側に配置することによって保持部材を浴槽に取り付ける際に浴槽用手摺りを安定して取り付けることができる。緩衝部材は木材及び合成樹脂等を使用することができる。
【００１１】
また、第１支持部材あるいは第２支持部材のいずれか一方又は双方に伸縮部を設けるという手段を講じたものである。このような構成とすることで、浴槽の大きさの大小にかかわらず、確実に浴槽用手摺りを設置することができる。
【考案の効果】
【００１２】
本考案は以上のように構成されかつ作用するものであり、高齢者あるいは障害者が使用する際に浴槽に取り付けることができ、健常者が浴槽を使用するに際しては取り外しすることができる浴槽用手摺りを提供することができる。また、本考案の他の課題は、様々な浴槽に適用することができるである。またずれにくいように使用することができる浴槽用手摺りを提供することができる。
【考案を実施するための最良の形態】
【００１３】
以下の本考案を実施するための実施の形態を図面に基づいて説明する。図１は、第１実施例に係る本考案を浴槽に装着した斜視図である。図２において、Ａは第１実施例に係る本考案の斜視図である。Ｂは図２のＡにおけるＡ−Ａ線断面図である。図３は第１実施例に係る本考案の保持部材の分解斜視図である。図４は、図１のＢ−Ｂ線断面図である。図５は、第２実施例に係る本考案を浴槽に装着した斜視図である。図６は第２実施例に係る本考案の斜視図である。図７は第２実施例に係る本考案の保持部材の分解斜視図である。図８は、図５のＣ−Ｃ線断面図である。
【００１４】
本考案の第１実施例に係る浴槽用手摺り１０は、第１支持部材１１と第２支持部材１２と第１保持部材２０、２０′と第２保持部材２０″で構成されている。すなわち、第１支持部材１１の一端と他端にそれぞれ第１保持部材２０、２０′を取り付け、当該第１支持部材１１の中点付近に第２支持部材１２の一端１６を取り付け、当該第２支持部材１２の他端１９に、第２保持部材２０″を取り付けた構成である。
【００１５】
第１支持部材１１は、浴槽９０の形状が直方体形状の場合に、浴槽９０の湯たまり部９１を、跨ぐような長さに構成される。すなわち、浴槽９０の方向Ｘにおける浴槽の幅に合わせて構成される。本実施例では中空の金属製パイプ材が用いられる。特に、腐食しにくい材料が好ましく、例えばステンレス素材、アルミ素材あるいは合成樹脂製のものを使用することができる。なお、使用者が浴槽９０に出入りする際に体重をかけるために、ある一定の強度が求められるのは云うまでもない。
【００１６】
第１保持部材２０と第２保持部材２０′は、同様のものを使用することができる。ここで、第１保持部材２０は、支持部材受け２１と保持部本体２２をボルト２５ａ及びナット２６ａで接続されている。支持部材受け２１は、パイプ形状の第１支持部材１１を保持するための断面半円状を呈している。また、第１支持部材１１を保持できる長さに構成されている。第１支持部材１１の一端に第１保持部材２０を接続するために、支持部材受け２１に設けた孔２１ａと保持部本体２２に設けた孔２２ｅと第１支持部材１１の一端に設けた孔１１ａとを、ボルト２５ａで貫通させナット２６ａで接続したものである。また同様に、第１支持部材１１の他端においても第１保持部材２０′が上記と同様に接続されている。
【００１７】
保持部本体２２は、断面コの字状に構成され浴槽９０の縁部９２-１に取り付けられる。従って、保持部本体２２の上部２２ａの幅を浴槽９０の縁部９２-1の幅に応じた大きさに設定することができる。また、浴槽９０の縁部９２-１を傷等から保護するために保護部材２３を取り付けることができる。また保護部材２３は、柔軟性を有し、また、クッション性を有するものを使用することができる。特に保持部本体２２の上部２２ａの幅を、浴槽９０の縁部９２−1の幅に適用させるために、浴槽９０の縁部９２−1の幅よりも前記保持部本体２２の上部２２ａの幅をある程度の余裕をもった大きさの幅に製作することで、浴槽９０の縁部９２−1の幅に適用させることができる。また、浴槽９０の縁部９２−1の幅が比較的小さい浴槽に適応させる場合に厚手のクッション性を有する保護部材２３を使用すれば、浴槽９０の縁部９２-１の幅において比較的大きな幅であってもその隙間を埋めることができ、ガタつきを減らすことができる。従って、保護部材２３に厚みによって、保持部本体２２の上部２２ａの幅をある程度大きくしても、様々な浴槽９０の縁部９２-１の幅に対応することができる。
【００１８】
緩衝部材２４は保護部材２３の内側に取り付けることができる。これを取り付けることにより、保持部材２０を浴槽９０への取り付けを安定させることができる。なお、緩衝部材２４は木材あるいは合成樹脂によって作成することができる。また、緩衝部材２４は、ボルト２５ａを保持部本体２２の孔２２ｅと保護部材２３の孔２３ａと緩衝部材２４の孔２４ａとを貫通させ、ナット２６ａで固定する。さらに、ボルト２５ｂを緩衝部材２４の孔２４ｂと保持部本体２２の孔２２ｆと保護部材２３の孔２３ｂとを貫通させナット２６ｂで、固定することができる。
【００１９】
第１支持部材１１の中点付近に孔１１ｂを設ける。また、第２支持部材１２の一端１６は、上部１６ａと下部１６ｂとからなる構成であり、上部１６ａと下部１６ｂの間に第１支持部材１１を差し入れ、孔１１ｂと孔１６ｃ及び孔１６ｄをボルト１７で貫通させナット１８で固定する。あるいは図示しないリベットで固定することができる。また第２支持部材１２の他端１９に第２保持部材２０″が配置されている。すでに述べたとおり第２保持部材２０″は第１保持部材２０と同様の構成であるのでその説明は省略する。なお、保護部材２３あるいは緩衝部材２４は任意に取り付けることができるので、使用しない場合は上記から除外することができるのは云うまでもない。
【００２０】
このように構成した第１実施例における浴槽用手摺り１０を、浴槽９０に取り付けるためには、浴槽９０の縁部９２-１、９１-２に、第１支持部材１１における第１保持部材２０、２０′を取り付けると同時に第２支持部材１２の他端１９に取り付けられた第２保持部材２０″を浴槽９０の縁部９２-３に取り付ける。すなわち、第１保持部材２０における保持部本体２２の内側部分２２ｂを浴槽の内側に配置し、保持部本体２２の外側部分２２ｃを浴槽の外側に配置する。それぞれ他の第１保持部材２０′および第２保持部材２０″も同様に取り付けると浴槽９０における縁部９２-１、９２-２、９２-３の３点で取り付けられているためにずれる恐れは少ないものである。
【００２１】
第２実施例に係る本考案の浴槽用手摺り５０は、第１支持部材５１と第２支持部材５２と第１保持部材６０、６０′と第２保持部材６０″で構成されている。すなわち、浴槽用手摺り５０における第１支持部材５１の一端と他端にそれぞれ第１保持部材６０、６０′を取り付け、当該第１支持部材の中点付近に第２支持部材５２の一端５２ａを取り付け、当該第２支持部材５２の他端５２ｂに、第２保持部材６０″を取り付けた構成である。この第２実施例に係る本考案の浴槽用手摺り５０は、壁Ｗに密着した浴槽９５に取り付けるためのものである。
【００２２】
第１支持部材５１は、浴槽９５の形状が直方体形状の場合に、浴槽９５の湯たまり部９６を、跨ぐような長さに構成される。すなわち、浴槽９５の方向Ｘにおける浴槽９５の幅に合わせて構成される。また、本実施例においては、第１支持部材５１は、中空の金属製パイプ材が用いられる。特に、腐食しにくい材料が求められ、例えばステンレス素材や合成樹脂製のものが使用される。なお、使用者が浴槽９５に出入りする際に体重をかけるために、それに耐えうる強度が求められるのは云うまでもないことは第１実施例と同様である。また、第２実施例の浴槽用手摺り５０における第１支持部材５１には伸縮部５５を設けることができる。伸縮部５５はパイプ形状の第１支持部材５１を伸縮させるものであって公知の構成を有するものである。また、第２支持部材５２においても伸縮部５５が設けることができる。尚、図示しないが、第１の実施例である第１支持部材１１あるいは第２支持部材１２のいずれか一方又は双方に上記公知の伸縮部を設けることができるのは云うまでもない。
【００２３】
第１保持部材６０と第２保持部材６０′は、同様のものを使用することができる。ここで、第１保持部材６０は、支持部材受け６１と保持部本体６２をボルト２５ａ及びナット２６ａで接続することができる。支持部材受け６１は、パイプ形状の第１支持部材５１を保持するための断面半円状を呈している。第１支持部材５１の一端に第１保持部材６０を接続するために、支持部材受け６１に設けた孔６１ａ、６１ｂ、６１ｃのうち、例えば浴室の壁面Ｗに干渉しないように孔６１ｂと保持部本体６２に設けた孔６２ｅと第１支持部材５１の一端に設けた孔５１ａとを、ボルト２５ａを貫通させナット２６ａで接続したものである。また同様に、第１支持部材５１の他端においても第１保持部材６０′が接続されている。
【００２４】
保持部本体６２は、断面Ｌ字状に構成され、保持部本体６２の上部６２ａを浴槽９５の縁部９７-１に掛け、保持部本体６２の下部６２ｂを浴槽９５の内壁部９８に押えつけるように取り付ける。これは、上述の通り第１実施例における保持部本体２３では、浴室の壁Ｗと接している浴槽９５に、取り付けることができないためである。この場合第１支持部材５１を浴槽９５の幅に対して適切な長さに構成すれば、保持部本体６２の下部６２ｂを浴槽９５の内壁部９８に押さえつけるように取り付けることができる。また、第１支持部材５１に伸縮部５５を設けた場合には、伸縮部５５を伸ばす方向すなわち突っ張る方向で取り付ければ、上述の通り保持部本体６２の下部６２ｂを浴槽９５の内壁部９８に押えつけるように取り付けることができる。尚、第２保持部材６０′の保持部本体６２も同様であり第２支持部材５２においても伸縮部５５を設けることができる。
【００２５】
また、浴槽９５の縁部９７-１及び内壁部９８を傷等から保護するために、保護部材６３を保持部本体６２と浴槽９５の縁部９７−1及び内壁部９８の間に取り付けることができる。また保護部材６３は、柔軟性を有し、また、クッション性を有するものを使用することができる。また伸縮部５５を設けることで、浴槽の幅の大小にかかわらず浴槽用手摺り５０を取り付けすることができる。また緩衝部材６４を取り付けることもできる。また、取り付けは、第１支持部材５１の一端に設けた孔５１ａと支持部材受け６１の孔６１ｂと保持部本体６２に設けた孔６２ｅと保護部材６３における孔６３ａと緩衝部材６４の孔６４ａとを、ボルト２５ａで貫通させナット２６ａで接続し、さらに、保持部本体６２における孔６２ｆと保護部材６３における孔６３ｂと、緩衝部材６４の孔６４ｂとをボルト２５ｂを貫通させてナット２６ｂで接続することができる。なお、保護部材６３あるいは緩衝部材６４は任意に取り付けることができるので、使用しない場合は上記から除外することができるのは云うまでもない。
【００２６】
第１支持部材５１の中点付近に孔５１ｂを設け、第２支持部材５２の一端５２ａと接続される。この構成は、第１実施例の第１支持部材１１と第２支持部材１２との接続と同様であるので、その説明は省略する。
【００２７】
このように構成した第２実施例における浴槽用手摺り５０を、浴槽９５に取り付けるためには、浴槽９５の縁部９７-１、９７-２に、第１支持部材５１における第１保持部材６０、６０′を取り付け、第２支持部材５２の他端５２ｂに取り付けられた第２保持部材６０″を浴槽９５の縁部９７-３に取り付ける。このように浴槽９５における縁部９７-１、９７-２、９７-３の３点で取り付けられているためにずれる恐れは少ないものである。また、伸縮部５５を有する場合は当該伸縮部５５を伸ばし、第１支持部材５１における第１保持部材６０、６０′を取り付け、第２支持部材５２の他端５２ｂに取り付けられた第２保持部材６０″を浴槽９５に取り付けることができる。尚、第１実施例における浴槽用手摺り１０において、第１保持部材２０、２０′及び第２保持部材２０″を取り付けているが、そのうち浴槽と壁の接する部分の保持部材２０、２０′あるいは２０″のうちいずれ１つまたは２つを第２実施例における保持部材６０に付け替えることができることは云うまでもない。
【００２８】
第１実施例に係る浴槽用手摺り１０及び第２実施例に係る浴槽用手摺り５０を浴槽９０あるいは９５に装着した場合において、ともに板７０を設置することができる。板７０に腰を掛け、浴槽９０あるいは９５を足湯用としても使用することができる。このように構成した第１実施例係る浴槽用手摺り１０及び第２実施例に係る浴槽用手摺り５０において使用者たる高齢者が第１支持部材をつかみ浴槽の出入りをしても第２支持部材を有しているために、取り外し可能であってもずれる恐れが少ない浴槽用手摺りを提供することができる。
【図面の簡単な説明】
【００２９】
【図１】第１実施例に係る本考案を浴槽に装着した斜視図。
【図２】Ａは第１実施例に係る本考案の斜視図。Ｂは図２のＡにおけるＡ−Ａ線断面図。
【図３】第１実施例に係る本考案の保持部材の分解斜視図。
【図４】図１のＢ−Ｂ線断面図。
【図５】第２実施例に係る本考案を浴槽に装着した斜視図。
【図６】第２実施例に係る本考案の斜視図。
【図７】第２実施例に係る本考案の保持部材の分解斜視図。
【図８】図５のＣ−Ｃ線断面図。
【符号の説明】
【００３０】
１０  第１実施例に係る浴槽用手摺り
１１  第１支持部材
１２  第２支持部材
２０  第１保持部材
２０′第１保持部材
２０″第２保持部材
２１  支持部材受け
２２  保持部本体
２３  保護部材
２４  緩衝部材  
５０  第２実施例に係る浴槽用手摺り
５１  第１支持部材
５２  第２支持部材
６０  第１保持部材
６０′第１保持部材
６０″第２保持部材
６１  支持部材受け
６２  保持部本体
６３  保護部材
６４  緩衝部材  
９０  浴槽
【図１】
0003174184.tif 000003
【図２】
0003174184.tif 000004
【図３】
0003174184.tif 000005
【図４】
0003174184.tif 000006
【図５】
0003174184.tif 000007
【図６】
0003174184.tif 000008
【図７】
0003174184.tif 000009
【図８】
0003174184.tif 000010